(57)【要約】【課題】使い勝手の良い名刺収納台紙を提供する。【解決手段】ファイル用バインダーに脱着可能に、且つ筆記具による書き込み可能で折り畳み可能な紙あるいは合成樹脂の紙葉体を芯体として、その両面に天辺方向から名刺を収納するための複数の透明ポケットを形成し、この芯体の天辺縁に舌片状のインデックス・タブ１３、これに近接して１個あるいは複数個の折り畳み可能にインデックス・フラップ１２ａ、１２ｂを形成し、該インデックス・フラップを使ってお得意様企業専用の名刺収納台紙を簡易に構築可能とし、団体名刺と個人名刺を一目瞭然に区別可能とする類別／消息カードをすべての透明ポケットに装着した。【選択図】図３
0003178331.tif 000002
【実用新案登録請求の範囲】
【請求項１】
ファイル用バインダーに脱着可能な、且つ筆記具による書き込み可能な芯体と透明ポケットを有する名刺収納台紙であって、前記芯体の天辺縁にはインデックス・タブと舌片状をしたインデックス・フラップを有しており、該インデックス・フラップが折り畳み可能であることを特徴とする名刺収納台紙。
【請求項２】
ファイル用バインダーに脱着可能な、且つ筆記具による書き込み可能な芯体と、透明ポケットと、該透明ポケットに装着される類別／消息カードとを有する名刺収納台紙であって、前記芯体の天辺縁にはインデックス・タブと舌片状をしたインデックス・フラップを有しており、該インデックス・フラップが折り畳み可能であることを特徴とする名刺収納台紙。
【請求項３】
前記インデックス・フラップは、前記芯体と前記類別／消息カードとの間隙に折り畳まれることを特徴とする請求項２記載の名刺収納台紙。
【請求項４】
前記類別／消息カードは、両面に異なる彩色がなされていることを特徴とする請求項２及び請求項３記載の名刺収納台紙。
【請求項５】
前記類別／消息カードには定型チェック項目が印刷されていることを特徴とする請求項２、請求項３及び請求項４記載の名刺収納台紙。
【考案の詳細な説明】
【技術分野】
【０００１】  本案は、市販されている２穴あるいは多穴のリング式バインダーのリングに、あるいはパイプ式バインダーのパイプ金具に篏合するように綴じ孔が設けられた全ての名刺収納台紙上に、インデックス・タブ及びインデックス・フラップを設け、名刺収納台紙上の全ての透明ポケットに類別／消息カードを予め装着しておくことによって、受取名刺の増加に対する簡便な収納、並べ替え、企業等の団体名刺と個人名刺の混在収納、及びお得意様企業専用の名刺収納台紙を簡易に構築し、名刺ファイルの利便性を高める名刺収納台紙に関する考案である。
【背景技術】
【０００２】  従来の名刺ファイルでは、団体名刺は団体名をキーワードとして、５０音表記あるいはアルファベット表記にしたインデックス・ラベルに従って分類し、透明ポケットに収納する。一方、個人名刺は個人名をキーワードとして、団体名刺とは異なる部分あるいは異なるバインダーにインデックス・ラベルに従って分類し、収納するのが通常の収納方法である。【０００３】  これらの商品では、名刺を分類、収納するために５０音表記の接着式ラベルがインデックス用ラベルとして１セットが添付されているのが最も一般的である。また、このインデックス用ラベルは、「あ行」、「か行」から「わ行」に至る各行を「ア」「カ」から「ワ」等の１字で代表しており、名刺のキーワードに従って、「ア〜オ」を「ア」ラベルの範囲に、「カ、ガ、キ、ギ、ギャ〜コ、ゴ」を「カ」ラベルの範囲にというように、１０枚のラベルに従って透明ポケットに収納する。購入者はまず最初に、将来にわたる受取名刺の増加を自分なりに予想し、見当をつけて、添付されているラベルを自ら名刺収納台紙に貼って台紙の枚数若しくは透明ポケットの数を配分しなければならない。さらに個人名刺を団体名刺から類別して収納するためには、自ら市販のラベルを購入して５０音表記ラベルを作成し、団体名刺用とは別の部分若しくは別のバインダーの名刺収納台紙に貼って、ここでも独自の台紙配分をしてファイルしなければならなかった。【０００４】  このような従来商品では、５０音の各行を一音で代表させる分類であるため、ラベルは１０枚しかなく、そのため台紙の同一面に「ア音」名刺も「エ音」名刺も「オ音」名刺もというように混在することになり、所望の名刺を探すのに苦労する場面も多かった。さらに受取名刺が増加すると混乱は一層ひどくなり、想定配分した台紙枚数に収まらなくなると、新たな受取名刺の週布ための遣り繰りのために混乱はますます拡大し、しばしば整理に長時間を要することになりがちであった。【０００５】  かといって、５０音全てのラベル２セット分を、団体名刺用と個人名刺用として添付すれば収納の混乱は軽減されることにはなるが、１００枚近いラベルを購入顧客に貼らせるのでは商品になりにくい。また、団体名刺と個人名刺を同一ラベルの下に混在収納すれば、ラベル貼りは５０枚弱となって楽ではあるが、所望の名刺を探すのに団体名刺であるか個人名刺であるかを一枚一枚確認しながら検索するのでは、所望の名刺にたどり着くの時間がかかり、神経も使うことになり不便である。
【先行技術文献】
【非特許文献】
【０００６】
【非特許文献１】「ＫＯＫＵＹＯ  ２０１２  ステイショナリー編」名刺ホルダー（替紙式・発泡ＰＰシートタイプ）メイ−Ｆ３５５ＮＰ  ｐ．１６
【考案の概要】
【考案が解決しようとする課題】
【０００７】  市販の名刺ファイルは、複数枚の名刺収納台紙に名刺分類のためのインデックス用５０音表記ラベルが添付されているが、ラベルの数は１０枚程度と極めて少なく、購入者が自ら台紙に接着しなければならない。しかし、これからの受取名刺の量を考慮して各ラベルに何枚の名刺収納台紙を振り当てるかは購入者に任されているが、これを購入者自身が判断するのは極めて難しい。【０００８】  添付されているラベルの数は１０枚程度しかなく、そのために、たとえば、「ア」ラベルの範囲には「あ行」の名刺が全て収納されることになる。つまり、キーワードが「あ」で始まる名刺も、「え」で始まる名刺も、「お」で始まる名刺も全てが混在して収納されることとなり、必然的に収納された名刺のキーワードの語順は前後することになる。出来るだけ語順を整えるには適切に透明ポケットに余裕を持たせる必要があるが、実際にはほとんど役に立たない。また、隙間なく収納されたところに新たな名刺を受け取ると、そのための透明ポケットを遣り繰りするのにも一苦労することになる。【０００９】  さらに、団体名刺と個人名刺は類別して同一バインダーの別々の部分に収納するか、ないしは別冊のバインダーに収納しなければならない。しかし、「ア」「カ」から「ワ」の１０枚のラベルはほとんどの場合１セットのみ添付されていることが通常であり、したがって、団体名刺と個人名刺を類別して異なるファイルとして収納するには、新たにラベルを購入、製作しなければならないという不便があるため、購入直後から収納作業を始めることができない。【００１０】  そこで本考案は、購入直後から名刺の収納ができ、企業名刺と個人名刺を混在収納しても混乱を招くことなく、且つお得意様企業専用の名刺収納台紙を簡単に構築でき、そのことによって収納した名刺群の整理、階層化が簡便にできる使い勝手の良い名刺収納台紙を提供することを課題とする。
【課題を解決するための手段】
【００１１】  市販バインダーに脱着自由で、且つ筆記具による書き込み可能可能な紙あるいは合成樹脂のシートを芯体とする台紙の両面に複数の透明ポケットを有する名刺収納台紙を形成する。透明ポケットは、合成樹脂の透明フィルムを従来技術等を用いて接合して、天辺方向から名刺を挿入できるように天辺縁が解放され、ポケットの残る三辺の各縁を全部ないしは部分的に接合して形成する。【００１２】  名刺収納台紙の天辺縁における、バインダー金具に篏合する綴じ孔と対向する小口側端にインデックス・タブを天方向に突出させて舌片状に形成し、これに５０音表記文字あるいはアルファベット文字等を印刷して使用したり、あるいはブランクのままとして、使用者が必要に応じて必要内容を記入したりして使用する。【００１３】  インデックス・タブに近接して、天辺縁の天方向に１個あるいは複数個のインデックス・フラップを舌片状に折り返し可能に形成し、これに企業名等の必要内容を手書きして当該企業専用の名刺収納台紙とすることを可能とする。なお、企業名として極めて多い「東京○○」「日本○○」については、予めインデックス・フラップの舌片に「東京」「日本」と印刷し、インデックス・タブが「ト」、「ニ」である名刺収納台紙の後方にそれぞれ挟む。【００１４】  名刺収納台紙上の全ての透明ポケットに類別／消息カードを予め装着する。類別／消息カードは、左右長を透明ポケットにスムーズに挿入できる長さとし、天地長は名刺の短辺よりも長寸に形成し、一方の面を白地、他方の面を彩色地に形成して、白地面を表にして全ての透明ポケットに装着する。団体名刺は、類別／消息カードの白地面に重ねてポケットに収納する。個人名刺は、収納する際に、類別／消息カードを抜き取り表裏を差し替えて彩色地面を表にし名刺を重ねてポケットに収納する。【００１５】  類別／消息カードは、名刺より上部に露出する部分を当該人物との関係を一瞥理解するための定型チェック項目を印刷する欄とし、名刺に隠れる余白部分は複数の罫線を印刷して備忘事項を適宜記録するメモ欄とする。
【考案の効果】
【００１６】  本考案の名刺収納台紙は、市販されている２穴あるいは多穴のリング式バインダーのいずれの金具にも篏合するように成形されるので、市販のバインダーに装着して利用でき、名刺ファイルを安価に手軽に実現できる。【００１７】  本提案の名刺収納台紙では、インデックス・タブに５０音表記文字やアルファベットが印刷されており、インデックス・フラップ、類別／消息カードによってさらに細かく名刺を分類する機能を備えているので、購入者は名刺収納台紙の割り当てなどに悩む必要もなく、購入時点から直ちに名刺を収納することができる。【００１８】  インデックス・フラップは、交流が特に多い相手企業の専用の名刺収納台紙を簡単に作る機能を有している。さらにはたとえば、同一企業の中でも営業部との交流が特に盛んだとしたら、当該企業専用の名刺収納台紙群の中に、さらに別のインデックス・フラップを使って当該営業部専用の名刺収納台紙を構築することができる。インデックス・フラップによってファイルを階層化することで名刺を整理することができ、使用者がその人独自に使い勝手のいいファイルを構築することができる。【００１９】  類別／消息カードは、一方の面を白地、他方の面を彩色地とすることによって、透明ポケットに収納した当該名刺が団体名刺であるか個人名刺であるかを、名刺を超えて露出した部分の色彩で一目瞭然に類別し認識できる。したがって、団体名刺と個人名刺とを名刺収納台紙の同一面に混在収納することができ、別の場所にファイルしたり、分冊にしたりする必要がない。また、混在収納状態であっても所望の名刺を検索するにあたって混乱することがない。
所望の名刺が団体名刺なら白地のポケットの名刺を、個人名刺なら彩色地のポケットの名刺を探せばよいし、キーワードを団体名としたか個人名としたかの記憶が不鮮明であったり、そもそもキーワードそのものの記憶が不明瞭な場合でも、「ア」のインデックス・タブ群にはキーワードの先頭が「ア」で始まる名刺が全て収納されているので、キーワードの性質を一枚一枚について判定しながら探す必要もなく、このような曖昧検索であっても格段に簡易である。【００２０】  類別／消息カードの定型チェック項目は、類別／消息カード面のそれぞれ異なる性格を象徴する内容とする。白地面の定型チェック項目欄は、団体在籍者いわゆる現役を対象とするチェック項目と、団体転出者いわゆるＯＢを対象とするチェック項目と２行に分割し、カード面上辺と底辺に別行として、明瞭に識別できるように文字色を変えて印刷する。彩色地面の定型チェック項目欄は、私人関係のチェックに適したものとするために、学校やゴルフ、趣味等私的関係を内容とするチェック項目を印刷する。名刺収納時にこれらのチェック項目をチェックしておくことで、当該人物との関係の最も基本となる関係が時日を経たのちでも一目瞭然に把握できる。【００２１】  類別／消息カードのメモ欄には、当該人物との接遇において、定型チェック項目をチェックするだけでは不足するような必須事項があれば記入しておくことで備忘録として役に立つ。
【図面の簡単な説明】
【００２２】
【図１】右開きの位置に置いた本考案名刺収納台紙の一例を示したの平面図である。
【図２】インデックス・フラップを使って「東京」を冠する企業名刺を収納するための本考案名刺収納台紙の一例を示した平面図である。
【図３】インデックス・フラップを使った「エックス社」専用の本考案名刺収納台紙の例を示した平面図である。
【図４】２つ目のインデックス・フラップを利用した「エックス社の営業Ｙ部」専用の本考案名刺収納台紙によって、「エックス社」の名刺群が階層化される例を示した平面図である。
【図５】団体名刺と個人名刺が混在収納されている本考案名刺収納台紙の一例を示した平面図である。
【図６】本考案台紙の類別／消息カードの一方の面で、団体名刺用の白地面の一例を示した平面図である。
【図７】本考案台紙の類別／消息カードの他方の面で、個人名刺用の彩色地面の一例を示した平面図である。
【考案を実施するための形態】
【００２３】  本考案の最良の実施形態を市販のＡ４用バインダーに適合する大きさの名刺収納台紙を示しながら実施例を説明する。
【００２４】  名刺収納台紙１０は、図１に示すように左右側縁を長寸としてバインダーに右開きに装着したとき、左側縁にバインダーの金具に篏合する綴じ孔１４を設け、右側縁を小口とする。名刺収納台紙１０は、筆記具による書き込み可能で撓折可能な紙あるいは合成樹脂のシートを芯体１１とし、両面に合成樹脂透明フィルムを接着、圧着ないしは溶着するなどの従来技術等を用いて接合して名刺を収納する透明ポケット３０を形成する。透明ポケット３０は、左右に２列、各列４ポケット、したがって片面に８ポケット、両面で合計１６ポケットを形成する。各透明ポケットは、天辺方向から名刺を挿入できるように各透明ポケットの天辺縁が解放され、ポケットの残る三辺の各縁を全部ないしは部分的に接合して名刺が収納可能な透明ポケットとする。
【００２５】  上述の名刺収納台紙１０の天辺縁の小口側端にインデックス・タブ１３を天方向に突出させて舌片状に形成し、このインデックス・タブ１３に近接して天辺縁に１片あるいは複数片のインデックス・フラップ１２ａ、１２ｂを舌片状に形成して、この舌片を撓折して芯体１１と類別／消息カード２０との間隙に挿んで自然に起立するのを防ぐ。類別／消息カード２０は全ての名刺収納台紙１０の、全ての透明ポケット３０に一枚ずつ装着する。
【００２６】  図２のように、名刺収納台紙のインデックス・タブ１３に、「ア」「イ」「ウ」「エ」「オ」「カ」「キ」「ク」「ケ」「コ」「サ」「シ」「ス」「セ」「ソ」「タ」「チ」「ツ」「テ」「ト」「ナ」「ニ」「ヌ」「ネ」「ノ」「ハ」「ヒ」「フ」「ヘ」「ホ」「マ」ミ」「ム」「メ」「モ」「ヤ」「ユ」「ヨ」「ラ」「リ」「ル」「レ」「ロ」「ワ」「ヲ／ン」の５０音表記文字を印字し、４５種の名刺収納台紙１０を形成する。受取名刺が増えて、透明ポケットが不足したら、新たな名刺収納台紙１０のブランクのインデックス・タブに必要な５０音を手書きして一群の名刺収納台紙に加える。
【００２７】  さらに「東京○○」「日本○○」という企業名は極めて多い。そこで「東京」や「日本」をキーワードを冒頭に持つ企業名刺を一か所に集めるめに、図２のように、インデックス・タブ１３に「ト」及びインデックス・フラップ１２ｂに「東京」と印刷した名刺収納台紙１枚と、同様にインデックス・タブ１３に「ニ」及びインデックス・フラップ１２ｂに「日本」と印刷した名刺収納台紙１枚とを形成し、上述の名刺収納台紙群に加えることとし、インデックス・タブ「ト」及び「ニ」の名刺収納台紙群のそれぞれ直後に挟む。
【００２８】  類別／消息カード２０は全ての透明ポケット３０に装着する。類別／消息カード２０の白地面２１は、図６のように、その上部露出部分にチェック時点現在の団体在籍者の身分の変遷などをチェックする定型チェック項目、たとえば「団体在籍（出向／内部人事／組織改編：メモ有）」２１ａを印刷する。
また、天地を上下に差し替えたときに上部露出部分となる部分には、たとえば「団体転出（退職／定年：メモ有）」２１ｂを、２１ａとは異書体且つ異色で明瞭区分できるように印刷する。余白部分には罫線を印刷して、メモ欄２１ｃとする。
【００２９】  図７のように、類別／消息カードの彩色地面２２には、たとえば、「個人（親戚／同窓・級友／趣味・スポーツの仲間／呑み友：メモ有）」２２ａと印刷し、余白には複数の罫線を印刷してメモ欄２２ｃとする。
【実施形態の効果】
【００３０】  インデックス・タブに５０音が印刷された４５枚の名刺収納台紙、インデックス・フラップに「東京」「日本」が印刷された名刺収納台紙２枚、これらの台紙上の全ての透明ポケットには類別／消息カードが装着されているので、購入後直ちに名刺の収納作業が始められる。透明ポケットが不足したらブランクのインデックス・タブに必要な５０音を手書きした名刺収納台紙をこれに加えるだけでよい。
【００３１】  同一企業の新たな名刺を受け取ってみると収納ポケットが不足していてポケットを作り出すのに、苦労して遣り繰りしなければならないという場合が少なくない。このような場合でも、たとえば「あ行」全てが遣り繰りの対象となるのではなく、頭音「エ」だけの名刺が対象となるというように格段に楽である。
【００３２】  お得意様の名刺交換は自然に頻繁になる。たとえば「エックス社」の名刺を多数受け取っているというような場合、図３のようにインデックス・タブ１３に「エ」と手書きし、インデックス・フラップ１２ｂを起立させて「エックス社」と手書きして「エックス社」専用の名刺収納台紙を構築することができる。
【００３３】  さらに、「エックス社」の中でも「営業Ｙ部」との付合いが突出しているという場合は、図４のように、名刺収納台紙の２つ目のインデックス・フラップ１２ａを使って、「営業Ｙ部」専用の名刺収納台紙を作れば、「エックス社」専用の名刺収納台紙群の内部にさらに「営業Ｙ部」の専用名刺収納台紙群が構築できることになり、名刺ファイルが階層化される。比較的交渉の頻繁な会社については積極的に専用台紙を作ることによって、名刺ファイルの階層化が促進され、名刺ファイル全体をすっきりと整理できると共に、自分にとって使い勝手の良い名刺ファイルとすることができる。
【００３４】  名刺は、５０音のインデックス・タブによる４５種及び東京と日本のインデックス・フラップによる２種の合計４７種、さらに使用者自ら構築するお得意様専用名刺収納台紙等によって４７種を超えて細かく分類されるので、受取名刺の枚数が増えても語順混乱の悩みは格段に少なく、大部のファイルを薄いバインダーに分冊して軽便化するにも、逆に、薄いバインダーを適宜統合するのも簡便にできる。
【００３５】  図１のように、類別／消息カード２０は白地面の団体在籍者用の定型チェック項目２１ａを天側の行にして装着されているので、図５のように、在籍者つまり現役の名刺４０はそのまま類別／消息カードと透明フィルムとの間隙に挿入する。しかし、現在時点で何らかの事情によって団体から転出して在籍しない当該人物いわばＯＢの名刺４１は、類別／消息カード２０の天地を上下逆転して、ＯＢ用の定型チェック項目「団体転出（退職／定年：メモ有）」２１ｂが天側の行になるように差し替えて名刺を重ねて挿入する。定型チェック項目２１ａ、２１ｂは異なる色彩文字になっているので、現役とＯＢは一目瞭然となる。実は、不在情報は不確実であることも多く、名刺を処分するにも確認するための時間が必要となることが多い。また、転出したからと言っても転出先が明確になるまで処分を差し控えたい人物もいる。こうした処分までのタイムラグのために一時的に残置し、適宜な時宜を見計らって整理するなどに便利である。
また、必要ならば、メモ欄に必須備忘事項を記入しておく。
【００３６】  個人名刺４２は、図５のように、類別／消息カード２０を一旦取り出し裏返して彩色面を表面２２にして、定型チェック項目２２ａが天側になるように差し替えて名刺を上に重ねて収納する。こうすることで、図５のように、団体在籍者の名刺４０、団体転出者の名刺４１、個人名刺４２が混然と同一面上に収納されていても、類別／消息カード２０の白地面２１と彩色地面２２によって一目瞭然に団体名刺と個人名刺との区別が見て取れるし、白地面に収納されている団体名刺４０と４１は、定型チェック項目２１ａと２１ｂが互いに異書体、色違いに明瞭に印刷されているので、在籍者であるか、転出者であるかを一目瞭然に判別できる。
【００３７】  定型チェック項目は、該当する項目にチェックをすることで、使用者と当該名刺の人物との人間関係を、大雑把ではあるが最も基本的な関係を知ることができる。しかし、これでは今後の接遇に必須の情報が不足する恐れもある。そのような場合は、定型チェック項目の「メモ有」をチェックし、メモ欄に必須事項を記しておくことで便利な備忘録となる。
【００３８】「他の実施形態」
インデックス・タブには、５０音表記ではなくアルファベット表記を使ってもよい。
その場合インデックス・タブには、「Ａ」「Ｂ」「Ｃ」「Ｄ」「Ｅ」「Ｆ」「Ｇ」「Ｈ」「Ｉ」「Ｊ」「Ｋ」「Ｌ」「Ｍ」「Ｎ」「Ｏ」「Ｐ」「Ｑ」「Ｒ」「Ｓ」「Ｔ」「Ｕ」「Ｖ」「Ｗ」「Ｘ」「Ｙ」「Ｚ」を印刷した名刺収納台紙２６枚と、インデックス・タブに「Ｎ」及び起立させたインデックス・フラップに「ＮＩＰＰＯＮ」と印刷した名刺収納台紙１枚、
インデックス・タブに「Ｔ」及び起立させたインデックス・フラップに「ＴＯＫＹＯ」と印刷した名刺収納台紙１枚を加えることも可能である。
【００３９】  ビジネスパーソン等のように受取名刺が比較的多い人向けには、インデックス・タブをより細分化してもかまわない。一例をあげれば、「Ａ〜Ａｍ」「Ａｎ〜Ａｚ」「Ｂ〜Ｂｍ」「Ｂｎ〜Ｂｚ」「Ｃ〜Ｃｍ」「Ｃｎ〜Ｃｚ」「Ｄ〜Ｄｍ」「Ｄｎ〜Ｄｚ」「Ｅ〜Ｅｍ」「Ｅｎ〜Ｅｚ」「Ｆ〜Ｆｍ」「Ｆｎ〜Ｆｚ」「Ｇ〜Ｇｍ」「Ｇｎ〜Ｇｚ」「Ｈ〜Ｈｍ」「Ｈｎ〜Ｈｚ」「Ｉ〜Ｉｍ」「Ｉｎ〜Ｉｚ」「Ｊ〜Ｊｍ」「Ｊｎ〜Ｊｚ」「Ｋ〜Ｋｍ」「Ｋｎ〜ｋｚ」「Ｌ〜Ｌｎ」「Ｌｍ〜Ｌｚ」「Ｍ〜Ｍｍ」「Ｍｎ〜ｍｚ」「Ｎ〜Ｎｍ」「Ｎｎ〜Ｎｚ」「Ｏ〜Ｏｍ」「Ｏｎ〜Ｏｚ」「Ｐ〜Ｐｍ」「Ｐｎ〜Ｐｚ」「Ｑ」「Ｒ〜Ｒｍ」「Ｒｎ〜Ｒｚ」「Ｓ〜Ｓｍ」「Ｓｎ〜Ｓｚ」「Ｔ〜Ｔｍ」「Ｔｎ〜Ｔｚ」「Ｕ〜Ｕｍ」「Ｕｎ〜Ｕｚ」「Ｖ〜Ｖｍ」「Ｕｎ〜Ｖｚ」「Ｗ〜Ｗｍ」「Ｗｎ〜Ｗｚ」「Ｘ」「Ｙ〜Ｙｍ」「Ｙｎ〜Ｙｚ」「Ｚ」を印刷し、名刺収納台紙を４９枚とすることが出きる。インデックス・タブに「Ｎ〜Ｎｍ」及び起立させたインデックス・フラップに「Ｎｉｐｐｏｎ」と印刷した名刺収納台紙１枚、さらにインデックス・タブに「Ｔｎ〜Ｔｚ」及び起立させたインデックス・フラップに「Ｔｏｋｙｏ」と印刷した名刺収納台紙１枚とするとよい。
【符号の説明】
【００４０】１０  名刺収納台紙
１１  名刺収納台紙の一方の面
１２ａ、１２ｂ  インデックス・フラップ
１３  インデックス・タブ
１４  市販のバインダーに篏合するように形成された綴じ孔
３０  透明フィルムによる透明ポケット
２０  類別／消息カード
２１  類別／消息カードの一方の面で、団体名刺用の白地面
２１ａ  団体在籍者用の白地面のチェック項目
２１ｂ  団体転出者用の白地面のチェック項目
２１ｃ  団体名刺用の白地面のメモ欄
２２  類別／消息カードの他方の面で、個人名刺用の彩色地面
２２ａ  個人名刺用の彩色地面のチェック項目
２２ｃ  個人名刺用の彩色地面のメモ欄
４０  企業などの団体在籍者の団体名刺
４１  企業などから転出した人物の団体名刺
４２  個人名刺
【図１】
0003178331.tif 000003
【図２】
0003178331.tif 000004
【図３】
0003178331.tif 000005
【図４】
0003178331.tif 000006
【図５】
0003178331.tif 000007
【図６】
0003178331.tif 000008
【図７】
0003178331.tif 000009